(57)【要約】【課題】光源あるいは表示パネルの制御部材と該制御部材を取り付ける部材との間の絶縁性を確保しつつ、リサイクル性あるいはメンテナンス性に優れた光源装置および表示装置を提供する。【解決手段】本発明に係る光源装置Ｘは、光源と、光源を収容する導電性収容部材２０と、光源の駆動を制御する制御部材３０と、光源と制御部材３０とを電気的に接続する可撓性回路基板４０と、可撓性回路基板４０を覆う絶縁シート５０と、を備えている。導電性収容部材２０は、絶縁シート５０の一端部を支持する支持部２２２と、制御部材３０を保持する保持部２１６とを有している。絶縁シート５０の他端部は、導電性収容部材２０と制御部材３０との間に介在している。【選択図】図２
2010056044.tif 000002
【特許請求の範囲】
【請求項１】
光源と、前記光源を収容する導電性収容部材と、前記光源の駆動を制御する制御部材と、前記光源と前記制御部材とを電気的に接続する可撓性回路基板と、前記可撓性回路基板を覆う絶縁シートと、を備え、
前記導電性収容部材は、前記絶縁シートの一端部を支持する支持部と、前記制御部材を保持する保持部とを有し、
前記絶縁シートの他端部は、前記導電性収容部材と前記制御部材との間に介在することを特徴とする、光源装置。
【請求項２】
前記絶縁シートの他端部は、前記導電性収容部材と前記制御部材との対向領域の略全面に介在する、請求項１に記載の光源装置。
【請求項３】
前記絶縁シートは、前記可撓性回路基板を挿通する開口部を更に有する、請求項１または２に記載の光源装置。
【請求項４】
前記絶縁シートは、屈曲部分あるいは屈折部分に沿って切欠き部を有する、請求項１から３のいずれかに記載の光源装置。
【請求項５】
前記絶縁シートの一端部は、前記支持部と前記可撓性回路基板とにより挟持される、請求項１から４のいずれかに記載の光源装置。
【請求項６】
表示パネルと、前記表示パネルを収容する導電性収容部材と、前記表示パネルの駆動を制御する制御部材と、前記表示パネルと前記制御部材とを電気的に接続する可撓性回路基板と、前記可撓性回路基板を覆う絶縁シートと、を備え、
前記導電性収容部材は、前記絶縁シートの一端部を支持する支持部と、前記制御部材を保持する保持部とを有し、
前記絶縁シートの他端部は、前記導電性収容部材と前記制御部材との間に介在することを特徴とする、表示装置。
【請求項７】
前記絶縁シートの他端部は、前記導電性収容部材と前記制御部材との対向領域全面に介在する、請求項６に記載の表示装置。
【請求項８】
前記絶縁シートは、前記可撓性回路基板を挿通する開口部を更に有する、請求項６または７に記載の表示装置。
【請求項９】
前記絶縁シートは、屈曲部分あるいは屈折部分に沿って切欠き部を有する、請求項６から８のいずれかに記載の表示装置。
【請求項１０】
前記絶縁シートの一端部は、前記支持部と前記可撓性回路基板とにより挟持される、請求項６から９のいずれかに記載の表示装置。
【発明の詳細な説明】
【技術分野】
【０００１】
本発明は、導電性支持部材に支持される光源あるいは表示パネルを備えた光源装置および表示装置に関する。
【背景技術】
【０００２】
液晶表示装置は、一般的に、液晶表示パネルと、この液晶表示パネルを駆動する駆動回路基板と、この駆動回路基板と液晶表示パネルとを電気的に接続するためのＦＰＣを備えている（例えば、特許文献１参照）。
【０００３】
特許文献１に開示の液晶表示装置は、液晶パネルを枠体内に保持させた状態で、前面側に配置した前面カバーと背面側に配置した背面ケースとによって挟んで固定することにより構成されている。背面ケースは、アルミニウムなどの金属からなり、その裏面には制御回路基板が配置されている。また、制御回路基板と液晶パネルとは、ＦＰＣにより電気的に接続されている。
【特許文献１】特開２００２−３３３６０６号公報
【発明の開示】
【発明が解決しようとする課題】
【０００４】
しかしながら、特許文献１に開示されているような液晶表示装置では、金属製背面ケースと制御回路基板との絶縁性を確保しつつ、金属製背面ケースに制御回路基板を固定するために、金属製背面ケースと制御回路基板とが絶縁性両面テープなどの絶縁性接着部材によって貼り合わされている。そのため、上述の液晶表示装置では、制御回路基板などのリサイクルあるいはメンテナンスの度に両面テープを外したり、取り替えたりする必要性があり、リサイクル性あるいはメンテナンス性の面で改善の余地があった。
【０００５】
本発明は、このような事情のもとで考え出されたものであって、光源あるいは表示パネルの制御部材と該制御部材を取り付ける部材との間の絶縁性を確保しつつ、リサイクル性あるいはメンテナンス性に優れた光源装置および表示装置を提供する、ことを目的とする。
【課題を解決するための手段】
【０００６】
本発明の一形態によれば、光源装置は、光源と、前記光源を収容する導電性収容部材と、前記光源の駆動を制御する制御部材と、前記光源と前記制御部材とを電気的に接続する可撓性回路基板と、前記可撓性回路基板を覆う絶縁シートと、を備えている。前記導電性収容部材は、前記絶縁シートの一端部を支持する支持部と、前記制御部材を保持する保持部とを有している。前記絶縁シートの他端部は、前記導電性収容部材と前記制御部材との間に介在している。
【０００７】
本発明の他の形態によれば、表示装置は、表示パネルと、前記表示パネルを収容する導電性収容部材と、前記表示パネルの駆動を制御する制御部材と、前記表示パネルと前記制御部材とを電気的に接続する可撓性回路基板と、前記可撓性回路基板を覆う絶縁シートと、を備えている。前記導電性収容部材は、前記絶縁シートの一端部を支持する支持部と、前記制御部材を保持する保持部とを有している。前記絶縁シートの他端部は、前記導電性収容部材と前記制御部材との間に介在している。
【発明の効果】
【０００８】
本発明の一形態に係る光源装置あるいは表示装置では、導電性収容部材と該導電性収容部材の保持部に保持される制御部材との間に絶縁シートが介在しているため、絶縁シートとは別の部材（例えば絶縁性両面テープ）を採用することなく、これらの間における絶縁性を適切に確保することができる。また、本光源装置あるいは本表示装置では、導電性収容部材の保持部により制御部材が保持されているため、該保持部による保持状態を解除するだけで導電性収容部材から制御部材を離脱させることができる。したがって、本光源装置あるいは本表示装置では、導電性収容部材と制御部材との間の絶縁性を確保しつつ、リサイクル性あるいはメンテナンス性を高めることができる。
【発明を実施するための最良の形態】
【０００９】
図１は、本発明の一実施形態に係る光源装置Ｘの概略構成を表す上面側から見た斜視図である。図２は、図１に示す光源装置Ｘを下面側から見た斜視図である。図３（ａ）は、図２におけるＩＩＩａ−ＩＩＩａ線に沿った断面図であり、図３（ｂ）は、図２におけるＩＩＩｂ−ＩＩＩｂ線に沿った断面図である。なお、図３（ａ）は、中央付近の一部を省略して示している。
【００１０】
光源装置Ｘは、バックライト１０と、導電性収容部材２０と、制御部材３０と、可撓性回路基板４０と、絶縁シート５０とを備えている。
【００１１】
バックライト１０は、光源１１と、導光体１２と、反射体１３と、拡散板１４と、プリズム１５とを有している。
【００１２】
光源１１は、導光体１２に向けて光を出射するように構成されている。光源１１としては、例えばＬＥＤ（Light Emitting Diode）、ＣＦＬ（Cathode Fluorescent Lamp）、ハロゲンランプ、キセノンランプ、およびＥＬ（electro-luminescence）が挙げられるが、中でも低消費電力化および低ノイズ化の観点からＬＥＤが好ましい。
【００１３】
導光体１２は、光源１１から出射された光を照射対象に導く機能を有するものである。導光体１２は、光源１１から出射された光が入射する光入射面１２ａにおいて該光源１１に対向配置されている。導光体１２の構成材料としては、例えばアクリル樹脂およびポリカーボネート樹脂などの透光性を有する材料が挙げられる。ここで、透光性とは、可視光に対する透過性を意味する。
【００１４】
反射体１３は、導光体１２の光出射面１２ｂの所定領域以外から出射される光を導光体１２に向けて反射する役割を担うものである。本実施形態において反射体１３は、主として導光体１２の下面１２ｃに対向配置されている。反射体１３としては、例えば、ポリエチレンテレフタラート（ＰＥＴ）などの樹脂材料を延伸させてなる白色系発泡体と、ＰＥＴなどの樹脂材料を含んでなる基材上に銀を成膜したものと、ＰＥＴなどの樹脂材料を含んでなる基材上に誘電体膜を積層形成したものと、ＴｉＯ２を含有するＰＥＴなどの樹脂材料を含んでなるものとが挙げられる。
【００１５】
拡散板１４は、導光体１２の光出射面１２ｂから照射対象に向けて出射される光の輝度の均一性を高める機能を有するものである。本実施形態において拡散板１４は、主として導光体１２の光出射面１２ｂに対向配置されている。拡散板１４の構成材料としては、例えば、ＰＥＴなどの樹脂材料を含んでなる基材上にシリカビーズ含有樹脂を硬化させてなるシートと、ポリカーボネート（ＰＣ）などの樹脂材料中にシリカビーズを混合させてなるシートとが挙げられる。
【００１６】
プリズム１５は、入射される光を屈折させる機能を有するものである。本実施形態におけるプリズム１５は、該プリズム１５に入射した光を導光体１２の光出射面１２ｂに対して略垂直方向となるように屈折させて出射するように構成されている。また、本実施形態におけるプリズム１５は、２枚のプリズムシートを積層して構成されているが、このような構成には限られない。プリズム１５としては、例えば、ＰＥＴなどの樹脂材料を含んでなる基材にアクリル系材料にて形成したプリズム構造体を積層したものと、ＰＣなどの樹脂材料を含んでなる基材自体にプリズム構造を形成したものとが挙げられる。
【００１７】
導電性収容部材２０は、第１筐体２１と、第２筐体２２とを有している。本実施形態における導電性収容部材２０は、第１筐体２１と第２筐体２２とを組み合わせることによって、バックライト１０の収容空間Ｓ１および可撓性回路基板４０の引出し空間Ｓ２を規定している。導電性収容部材２０は、少なくとも制御部材３０の保持位置において導電性を有する構成とされている。
【００１８】
第１筐体２１は、主体的にバックライト１０を収容するように構成されている。本実施形態における第１筐体２１は、本体部２１１と、４つの側壁部２１２，２１３，２１４，２１５と、８つの保持片２１６と、８つの係止片２１７とを有している。本実施形態における第１筐体２１の構成材料としては、例えばアルミニウムと、アルミニウム合金と、ステンレスと、ポリカーボネート樹脂にカーボンや金属粒子を混入してなる導電性プラスチックとが挙げられるが、中でも軽量化の観点からはアルミニウムあるいはアルミニウム合金が好ましく、機械的強度の観点からはステンレスが好ましい。
【００１９】
本体部２１１は、収容空間Ｓ１を規定するのに寄与する部位であり、バックライト１０の下方（矢印Ｆ方向）側に位置している。本実施形態における本体部２１１の平面視形状は矩形状とされているが、これには限られず、バックライト１０の構成などに応じて適宜設定すればよい。
【００２０】
側壁部２１２〜２１５は、本体部２１１とともに収容空間Ｓ１を規定するのに寄与する部位であり、それぞれバックライト１０の側方（矢印Ａ，Ｃ，Ｂ，Ｄ方向）側に位置している。本実施形態における側壁部２１２〜２１５は、本体部２１１の平面視における外周部に沿って立設された構成（本体部２１１と一体的な構成）とされている。
【００２１】
保持片２１６は、制御部材３０を保持するのに寄与する部位である。本実施形態における保持片２１６は、本体部２１１の下方（矢印Ｆ方向）側に制御部材３０を保持するように、本体部２１１の一部を下方（矢印Ｆ方向）側に切り起こした構成（本体部２１１と一体的な構成）とされている。本実施形態における保持片２１６は、制御部材３０を保持する場合に、その一部が平面視で該制御部材３０上に位置するように変形（移動）し、制御部材３０を離脱する場合に、その一部が平面視で該制御部材３０外に位置するように変形（移動）するように構成されている。
【００２２】
係止片２１７は、第１筐体２１と第２筐体２２との組み合わせ状態を維持するのに寄与する部位である。本実施形態に係る係止片２１７は、側壁部２１３〜２１５の外方（矢印Ｃ，Ｂ，Ｄ方向）に切り起こした構成（側壁部２１３〜２１５と一体的な構成）とされている。
【００２３】
第２筐体２２は、第１筐体２１とともに、収容空間Ｓ１および引出し空間Ｓ２を規定するように構成されている。本実施形態における第２筐体２２は、本体部２２１と、４つの側壁部２２２，２２３，２２４，２２５と、開口部２２６と、８つの係止孔２２７とを有している。本実施形態における第２筐体２２の構成材料としては、例えばアルミニウムと、アルミニウム合金と、ステンレスと、ポリカーボネート樹脂にカーボンや金属粒子を混入してなる導電性プラスチックとが挙げられるが、中でも軽量化の観点からはアルミニウムあるいはアルミニウム合金が好ましく、機械的強度の観点からはステンレスが好ましい。
【００２４】
本体部２２１は、収容空間Ｓ１を規定するのに寄与する部位であり、バックライト１０の上方（矢印Ｅ方向）側に位置している。本実施形態における本体部２２１の平面視形状は、本体部２１１の平面視形状と略相似形状（矩形状）とされている。また、本実施形態における本体部２２１の平面視面積は、第１筐体２１に対して第２筐体２２を組み合わせることができ、且つ、引出し空間Ｓ２を確保できるように、本体部２１１より若干大きくされている。
【００２５】
側壁部２２２〜２２５は、主として本体部２２１とともに引出し空間Ｓ２を規定するのに寄与する部位であり、それぞれ側壁部２１２〜２１５の外方（矢印Ａ，Ｃ，Ｂ，Ｄ方向）に位置している。本実施形態における引出し空間Ｓ２は、側壁部２１２と側壁部２２２との間に規定される。本実施形態における側壁部２２２〜２２５は、本体部２２１の平面視における外周部に沿って立設された構成（本体部２２１と一体的な構成）とされている。
【００２６】
開口部２２６は、光源１１から導光体１２を介して導かれた光を外部に取り出す役割を担う部位である。本実施形態における開口部２２６の平面視形状は矩形状であるが、これには限られない。
【００２７】
各係止孔２２７は、各係止片２１７とともに、第１筐体２１と第２筐体２２との組み合わせ状態を維持するのに寄与する部位である。本実施形態における各係止孔２２７は、第１筐体２１と第２筐体２２との組み合わせ状態において、側壁部２２３〜２２５の各係止片２１７に対向する位置に形成されている。つまり、本実施形態における各係止孔２２７には、第１筐体２１と第２筐体２２との組み合わせ状態において、各係止片２１７の少なくとも一部が挿通されている。このような構成により、第１筐体２１に対する第２筐体２２の着脱方向（矢印ＥＦ方向）への移動を制限している。
【００２８】
制御部材３０は、光源１１の駆動を制御する機能を有している。本実施形態における制御部材３０は、回路基板３１と、コネクタ３２と、制御部３３とを有している。回路基板３１は、コネクタ３２や制御部３３を電気的に接続する役割を担うものである。コネクタ３２は、制御部材３０と可撓性回路基板４０とを電気的に接続する部位であり、回路基板３１に実装されている。制御部３３は、光源１１の駆動を制御する部位であり、回路基板３１に実装されている。本実施形態における制御部３３は、中央演算処理装置（ＣＰＵ：Central Processing Unit）などを含んで構成されている。
【００２９】
可撓性回路基板４０は、光源１１と制御部材３０とを電気的に接続する役割を担うものである。本実施形態における可撓性回路基板４０は、一端部が光源１１の図示しない電極に対して電気的に接続され、他端部がコネクタ３２に対して電気的に接続されている。また、本実施形態における可撓性回路基板４０は、収容空間Ｓ１内を引き回し、引出し空間Ｓ２を介して導電性収容部材２０外に引き出されている。
【００３０】
絶縁シート５０は、導電性収容部材２０の第１筐体２１と制御部材３０の回路基板３１との間の絶縁性を確保するとともに、可撓性回路基板４０を屈曲（あるいは屈折）させる際に生じる復元力により該可撓性回路基板４０が膨らむのを押さえる役割を担うものである。本実施形態における絶縁シート５０の一端部５０ａは、引出し空間Ｓ２内に収容されており、第２筐体２２の側壁部２２２により支持されている。本実施形態における絶縁シート５０の他端部５０ｂは、第１筐体２１の本体部２１１と制御部材３０の回路基板３１との間に介在している。特に、絶縁シート５０の他端部５０ｂは、本体部２１１と回路基板３１との間の絶縁性をより適切に確保する観点から、本体部２１１と回路基板３１との対向領域における略全面に介在させるのが好ましい。本実施形態における絶縁シート５０の中央部５０ｃは、可撓性回路基板４０を覆うように構成されている。
【００３１】
絶縁シート５０は、開口部５１，５２を有している。開口部５１は、制御部材３０のコネクタ３２に対応する位置において、可撓性回路基板４０が挿通可能に構成されている。このような構成により、絶縁シート５０により覆われている可撓性回路基板４０を不必要に迂回させること無く、制御部材３０のコネクタ３２まで引き回すことができる。開口部５２は、保持片２１６に対応する位置において、保持片２１６が挿通可能に構成されている。
【００３２】
絶縁シート５０は、切欠き部５３を有している。本実施形態における切欠き部５３は、引出し空間Ｓ２内に収容される一端部５０ａと可撓性回路基板４０を覆っている中央部５０ｃとの間における屈曲（あるいは屈折）部分に沿って形成されている。本実施形態における切欠き部５３は、ミシン目状に形成されているが、このような構成には限られず、引出し空間Ｓ２への一端部５０ａの収容容易性を高めるように構成すればよい。
【００３３】
絶縁シート５０の構成材料としては、絶縁性樹脂が挙げられるが、中でも絶縁性あるいは加工性の観点から、ポリエステル樹脂、ポリプロピレン樹脂、およびポリイミド樹脂などが好ましい。
【００３４】
本実施形態に係る光源装置Ｘでは、導電性収容部材２０の本体部２１１と該導電性収容部材２０の保持片２１６により保持される制御部材３０との間に絶縁シート５０の他端部５０ｂが介在している。そのため、光源装置Ｘでは、絶縁シート５０とは別の部材（例えば絶縁性両面テープ）を採用することなく、これらの間における絶縁性を適切に確保することができる。また、光源装置Ｘでは、導電性収容部材２０の保持片２１６により制御部材３０が保持されている。そのため、光源装置Ｘでは、保持片２１６による保持状態を解除するだけで導電性収容部材２０の第１筐体２１から制御部材３０を離脱させることができる。したがって、光源装置Ｘでは、導電性収容部材２０の第１筐体２１と制御部材３０の回路基板３１との間の絶縁性を確保しつつ、リサイクル性あるいはメンテナンス性を高めることができる。
【００３５】
光源装置Ｘにおける絶縁シート５０は、導電性収容部材２０の第１筐体２１と制御部材３０の回路基板３１との間の絶縁性を確保するとともに、可撓性回路基板４０を屈曲（あるいは屈折）させる際に生じる復元力により該可撓性回路基板４０が膨らむのも押さえている。したがって、光源装置Ｘでは、従来のように、筐体と制御回路基板との間の絶縁性を確保する部材と、ＦＰＣ（Flexible Printed circuits）の復元力に起因する膨らみを押さえる部材とを別部材とするものに比べて、部品点数を減らすことも可能となる。
【００３６】
光源装置Ｘでは、保持片２１６により制御部材３０を機械的に保持している。従来のように両面テープなどの接着部材によって筐体に制御回路基板を接着固定する場合は、熱などに起因して接着性が低下してしまうため、長期間にわたって保持状態を維持し難い傾向にあるが、光源装置Ｘのように機械的に保持すれば熱などに対する耐久性を高めることが可能となる。
【００３７】
図４は、本発明の一実施形態に係る液晶表示装置Ｙの概略構成を表す上面側から見た斜視図である。図５は、図４に示す液晶表示装置Ｙを下面側から見た斜視図である。図６は、図４および図５におけるＶＩ−ＶＩ線に沿った断面図である。以下の液晶表示装置Ｙに関する説明において、光源装置Ｘに関して上述したのと同様のものは同じ番号を付して説明を省略する場合がある。
【００３８】
液晶表示装置Ｙは、バックライト１０と、導電性収容部材６０と、制御部材３０と、可撓性回路基板４０，４１と、絶縁シート７０と，液晶表示パネル８０とを備えている。
【００３９】
導電性収容部材６０は、第１筐体６１と、第２筐体６２とを有している。本実施形態における導電性収容部材６０は、第１筐体６１と第２筐体６２とを組み合わせることによって、バックライト１０および液晶表示パネル８０の収容空間Ｓ１と、可撓性回路基板４０，４１の引出し空間Ｓ２，Ｓ３とを規定している。導電性収容部材６０は、少なくとも制御部材３０の保持位置において導電性を有する構成とされている。
【００４０】
第１筐体６１は、主体的にバックライト１０を収容するように構成されている。本実施形態における第１筐体６１は、本体部６１１と、４つの側壁部６１２，６１３，６１４，６１５と、８つの保持片６１６と、７つの係止片６１７とを有している。本実施形態における第１筐体６１の構成材料としては、例えばアルミニウムと、アルミニウム合金と、ステンレスと、ポリカーボネート樹脂にカーボンや金属粒子を混入してなる導電性プラスチックとが挙げられるが、中でも軽量化の観点からはアルミニウムあるいはアルミニウム合金が好ましく、機械的強度の観点からはステンレスが好ましい。
【００４１】
本体部６１１は、収容空間Ｓ１を規定するのに寄与する部位であり、バックライト１０の下方（矢印Ｆ方向）側に位置している。本実施形態における本体部６１１の平面視形状は矩形状とされているが、これには限られず、バックライト１０の構成などに応じて適宜設定すればよい。
【００４２】
側壁部６１２〜６１５は、本体部６１１とともに収容空間Ｓ１を規定するのに寄与する部位であり、それぞれバックライト１０の側方（矢印Ａ，Ｃ，Ｂ，Ｄ方向）側に位置している。本実施形態における側壁部６１２〜６１５は、本体部６１１の平面視における外周部に沿って立設された構成（本体部６１１と一体的な構成）とされている。
【００４３】
保持片６１６は、制御部材３０を保持するのに寄与する部位である。本実施形態における保持片６１６は、本体部６１１の下方（矢印Ｆ方向）側に制御部材３０を保持するように、本体部６１１の一部を下方（矢印Ｆ方向）側に切り起こした構成（本体部６１１と一体的な構成）とされている。本実施形態における保持片６１１は、制御部材３０を保持する場合に、その一部が平面視で該制御部材３０上に位置するように変形（移動）し、制御部材３０を離脱する場合に、その一部が平面視で該制御部材３０外に位置するように変形（移動）するように構成されている。
【００４４】
係止片６１７は、第１筐体６１と第２筐体６２との組み合わせ状態を維持するのに寄与する部位である。本実施形態に係る係止片６１７は、側壁部６１２，６１４，６１５の外方（矢印Ａ，Ｂ，Ｄ方向）に切り起こした構成（側壁部６１２，６１４，６１５と一体的な構成）とされている。
【００４５】
第２筐体６２は、主体的に液晶表示パネル８０を収容するように構成され、第１筐体６１とともに収容空間Ｓ１および引出し空間Ｓ２，Ｓ３を規定するように構成されている。本実施形態における第２筐体６２は、本体部６２１と、４つの側壁部６２２，６２３，６２４，６２５と、開口部６２６と、７つの係止孔６２７とを有している。本実施形態における第２筐体６２の構成材料としては、例えばアルミニウムと、アルミニウム合金と、ステンレスと、ポリカーボネート樹脂にカーボンや金属粒子を混入してなる導電性プラスチックとが挙げられるが、中でも軽量化の観点からはアルミニウムあるいはアルミニウム合金が好ましく、機械的強度の観点からはステンレスが好ましい。
【００４６】
本体部６２１は、収容空間Ｓ１を規定するのに寄与する部位であり、バックライト１０および液晶表示パネル８０の上方（矢印Ｅ方向）側に位置している。本実施形態における本体部６２１の平面視形状は、本体部６１１の平面視形状と略相似形状（矩形状）とされている。また、本実施形態における本体部６２１の平面視面積は、第１筐体６１に対して第２筐体６２を組み合わせることができ、且つ、引出し空間Ｓ２，Ｓ３を確保できるように、本体部６１１より若干大きくされている。
【００４７】
側壁部６２２〜６２５は、主として本体部６２１とともに引出し空間Ｓ２，Ｓ３を規定するのに寄与する部位であり、それぞれ側壁部６１２〜６１５の外方（矢印Ａ，Ｃ，Ｂ，Ｄ方向）に位置している。本実施形態において、引出し空間Ｓ２は側壁部６１２と側壁部６２２との間に規定され、引出し空間Ｓ３は側壁部６１３と側壁部６２３との間に規定される。本実施形態における側壁部６２２〜６２５は、本体部６２１の平面視における外周部に沿って立設された構成（本体部６２１と一体的な構成）とされている。
【００４８】
開口部６２６は、光源１１から導光体１２を介して導かれた光を外部に取り出す役割を担う部位である。本実施形態における開口部６２６の平面視形状は矩形状であるが、これには限られない。
【００４９】
各係止孔６２７は、各係止片６１７とともに、第１筐体６１と第２筐体６２との組み合わせ状態を維持するのに寄与する部位である。本実施形態における各係止孔６２７は、第１筐体６１と第２筐体６２との組み合わせ状態において、側壁部６１２，６１４，６１５の各係止片６１７に対向する位置に形成されている。つまり、本実施形態における各係止孔６２７には、第１筐体６１と第２筐体６２との組み合わせ状態において、各係止片６１７の少なくとも一部が挿通されている。このような構成により、第１筐体６１に対する第２筐体６２の着脱方向（矢印ＥＦ方向）への移動を制限している。
【００５０】
可撓性回路基板４１は、液晶表示パネル８０と制御部材３０とを電気的に接続する役割を担うものである。本実施形態における可撓性回路基板４１は、一端部が液晶表示パネル８０の図示しない電極に対して電気的に接続され、他端部がコネクタ３２に対して電気的に接続されている。また、本実施形態における可撓性回路基板４１は、収容空間Ｓ１内を引き回し、引出し空間Ｓ３を介して導電性収容部材６０外に引き出されている。
【００５１】
絶縁シート７０は、導電性収容部材６０の第１筐体６１と制御部材３０の回路基板３１との間の絶縁性を確保するとともに、可撓性回路基板４０，４１を屈曲（あるいは屈折）させる際に生じる復元力により該可撓性回路基板４０，４１が膨らむのを押さえる役割を担うものである。本実施形態における絶縁シート７０の一端部７０ａ，７０ｄは、引出し空間Ｓ２，Ｓ３内に収容されており、第２筐体６２の側壁部６２２，６２３により支持されている。本実施形態における絶縁シート７０の他端部７０ｂは、第１筐体６１の本体部６１１と制御部材３０の回路基板３１との間に介在している。特に、絶縁シート７０の他端部７０ｂは、本体部６１１と回路基板３１との間の絶縁性をより適切に確保する観点から、本体部６１１と回路基板３１との対向領域における略全面に介在させるのが好ましい。本実施形態における絶縁シート７０の中央部７０ｃは、可撓性回路基板４０，４１を覆うように構成されている。
【００５２】
絶縁シート７０は、開口部７１，７２，７４を有している。開口部７１は、制御部材３０のコネクタ３２に対応する位置において、可撓性回路基板４０が挿通可能に構成されている。このような構成により、絶縁シート７０により覆われている可撓性回路基板４０を不必要に迂回させること無く、制御部材３０のコネクタ３２まで引き回すことができる。開口部７２は、保持片６１６に対応する位置において、保持片６１６が挿通可能に構成されている。開口部７４は、制御部材３０のコネクタ３４に対応する位置において、可撓性回路基板４１が挿通可能に構成されている。このような構成により、絶縁シート７０により覆われている可撓性回路基板４１を不必要に迂回させること無く、制御部材３０のコネクタ３４まで引き回すことができる。なお、コネクタ３４は、コネクタ３２と実質的に同様のものである。
【００５３】
絶縁シート７０は、切欠き部７３，７５を有している。本実施形態における切欠き部７３，７５は、引出し空間Ｓ２，Ｓ３内に収容される一端部７０ａ，７０ｄと可撓性回路基板４０，４１を覆っている中央部５０ｃとの間における屈曲（あるいは屈折）部分に沿って形成されている。本実施形態における切欠き部７３，７５は、ミシン目状に形成されているが、このような構成には限られず、引出し空間Ｓ２，Ｓ３への一端部７０ａ，７０ｄの収容容易性を高めるように構成すればよい。
【００５４】
絶縁シート７０の構成材料としては、絶縁シート５０と同様のものが挙げられる。
【００５５】
図７は、液晶表示パネル８０の概略構成を表す斜視図である。図８は、図７に示す液晶表示パネル８０の要部拡大断面図である。
【００５６】
液晶表示パネル８０は、液晶層８１と、第１基体８２と、第２基体８３と、封止部材８４とを備えており、第１基体８２と第２基体８３との間に液晶層８１を介在させ、該液晶層８１を封止部材８４により封止することにより、画像を表示するための複数の画素を含んでなる表示領域Ｐが構成されている。
【００５７】
液晶層８１は、電気的、光学的、力学的、あるいは磁気的な異方性を示し、固体の規則性と液体の流動性を併せ持つ液晶を含んでなる層である。この液晶としては、ネマティック液晶、コレステリック液晶、およびスメクティック液晶などが挙げられる。なお、液晶層８１には、該液晶層８１の厚さを一定に保つべく、例えば多数の粒子状部材により構成されるスペーサ（図示せず）を介在させてもよい。
【００５８】
第１基体８２は、透明基体８２１と、遮光膜８２２と、カラーフィルタ８２３と、平坦化膜８２４と、透明電極８２５と、配向膜８２６とを備えている。
【００５９】
透明基体８２１は、遮光膜８２２およびカラーフィルタ８２３を支持するとともに、液晶層８１を封止する役割を担うものであり、その主面に対して交差する方向（例えば矢印ＥＦ方向）に光を適切に透過することが可能な構成とされている。透明基体８２１の構成材料としては、ガラスおよび透光性プラスチックなどが挙げられる。
【００６０】
遮光膜８２２は、光を遮る（光の透過量を所定値以下にする）役割を担う部材であり、透明基体８２１の上面に形成されている。また、遮光膜８２２は、光を通過させるために、膜厚方向（矢印ＥＦ方向）に貫通する貫通孔８２２ａを有している。遮光膜８２２の構成材料としては、例えば、遮光性の高い色（例えば黒色）の染料あるいは顔料、カーボンが添加された樹脂（例えばアクリル系樹脂）と、クロム（Ｃｒ）と、酸化Ｃｒとが挙げられる。
【００６１】
カラーフィルタ８２３は、該カラーフィルタ８２３に入射した光のうち所定の波長を選択的に吸収し、所定の波長のみを選択的に透過させるための部材、例えばアクリル系樹脂に染料あるいは顔料を添加させることにより構成される。カラーフィルタ８２３としては、例えば赤色可視光の波長を選択的に透過させる赤色カラーフィルタ（Ｒ）と、緑色可視光の波長を選択的に透過させる緑色カラーフィルタ（Ｇ）と、青色可視光の波長を選択的に透過させる青色カラーフィルタ（Ｂ）とが挙げられる。
【００６２】
平坦化膜８２４は、カラーフィルタ８２３などを配置することにより生じる凹凸を平坦化する役割を担うものである。平坦化膜８２４の構成材料としては、例えばアクリル系樹脂などの透明樹脂が挙れる。
【００６３】
透明電極８２５は、後述の第２基体８３の透明電極８３２との間に位置する液晶層８１の液晶に所定の電圧を印加する役割を担うものであり、一方側から入射した光を他方側に透過するように構成されている。また、透明電極８２５は、所定の信号（画像信号）を伝搬する役割を担うものであり、主として矢印ＣＤ方向に延びるように複数配列されている。透明電極８２５の構成材料としては、ＩＴＯ（Indium Tin Oxide）および酸化錫などの透光性を有する導電部材が挙げられる。ここで、透光性とは、可視光に対する透過性を意味する。
【００６４】
配向膜８２６は、マクロ的にランダムな方向を向く（規則性が小さい）液晶層８１の液晶分子を所定方向に配向させる役割を担うものであり、透明電極８２５上に形成されている。配向膜８２６の構成材料としては、ポリイミド樹脂などが挙げられる。
【００６５】
第２基体８３は、透明基体８３１と、透明電極８３２と、配向膜８３３とを備えている。
【００６６】
透明基体８３１は、透明電極８３２および配向膜８３３を支持するとともに、液晶層８１を封止する役割を担うものであり、その主面に対して交差する方向（例えば矢印ＥＦ方向）に光を適切に透過することが可能な構成とされている。透明基体８３１の構成材料としては、透明基体８２１の構成材料と同様のものが挙げられる。
【００６７】
透明電極８３２は、第１基体８２の透明電極８２５との間に位置する液晶層８１の液晶に所定の電圧を印加する役割を担うものであり、一方側から入射した光を他方側に透過するように構成されている。また、透明電極８３２は、液晶層８１への電圧印加状態（ＯＮ）もしくは電圧非印加状態（ＯＦＦ）を制御する信号（走査信号）を伝搬する役割を担うものであり、主として図１３における紙面垂直方向に延びるように複数配列されている。透明電極８３２の構成材料としては、透明電極８２５の構成材料と同様のものが挙げられる。
【００６８】
配向膜８３３は、マクロ的にランダムな方向を向く（規則性が小さい）液晶層８１の液晶分子を所定方向に配向させる役割を担うものであり、透明電極８３２上に形成されている。配向膜８３３の構成材料としては、配向膜８２６の構成材料と同様のものが挙げられる。
【００６９】
封止部材８４は、第１基体８２と第２基体８３との間に液晶層８１を封止するとともに、第１基体８２と第２基体８３とを所定間隔で離間した状態で接合する役割を担うものである。封止部材８４としては、絶縁性樹脂およびシール樹脂などが挙げられる。
【００７０】
本実施形態に係る液晶表示装置Ｙでは、導電性収容部材６０の本体部６１１と該導電性収容部材６０の保持片６１６により保持される制御部材３０との間に絶縁シート７０の他端部７０ｂが介在している。そのため、液晶表示装置Ｙでは、絶縁シート７０とは別の部材（例えば絶縁性両面テープ）を採用することなく、これらの間における絶縁性を適切に確保することができる。また、液晶表示装置Ｙでは、導電性収容部材６０の保持片６１６により制御部材３０が保持されている。そのため、液晶表示装置Ｙでは、保持片６１６による保持状態を解除するだけで導電性収容部材６０の第１筐体６１から制御部材３０を離脱させることができる。したがって、液晶表示装置Ｙでは、導電性収容部材６０の第１筐体６１と制御部材３０の回路基板３１との間の絶縁性を確保しつつ、リサイクル性あるいはメンテナンス性を高めることができる。
【００７１】
液晶表示装置Ｙにおける絶縁シート７０は、導電性収容部材６０の第１筐体６１と制御部材３０の回路基板３１との間の絶縁性を確保するとともに、可撓性回路基板４０，４１を屈曲（あるいは屈折）させる際に生じる復元力により該可撓性回路基板４０，４１が膨らむのも押さえている。したがって、液晶表示装置Ｙでは、従来のように、筐体と制御回路基板との間の絶縁性を確保する部材と、ＦＰＣの復元力に起因する膨らみを押さえる部材とを別部材とするものに比べて、部品点数を減らすことも可能となる。
【００７２】
液晶表示装置Ｙでは、保持片６１６により制御部材３０を機械的に保持している。従来のように両面テープなどの接着部材によって筐体に制御回路基板を接着固定する場合は、熱などに起因して接着性が低下してしまうため、長期間にわたって保持状態を維持し難い傾向にあるが、液晶表示装置Ｙのように機械的に保持すれば熱などに対する耐久性を高めることが可能となる。
【００７３】
以上、本発明の具体的な実施形態を示したが、本発明はこれに限定されるものではなく、発明の思想から逸脱しない範囲内で種々の変更が可能である。
【００７４】
光源装置Ｘおよび液晶表示装置Ｙにおいて、絶縁シート５０，７０の一端部５０ａ，７０ａ，７０ｄは、第２筐体２２，６２の側壁部２２２，６２３，６２２により支持される構成に代えて、引出し空間Ｓ２，Ｓ３を介して引き出される可撓性回路基板４０，４１と側壁部２２２，６２３，６２２とにより挟持する構成としてもよい。このように、例えば可撓性回路基板４０，４１の復元力などを利用して、可撓性回路基板４０，４１と側壁部２２２，６２３，６２２とにより一端部５０ａ，７０ａ，７０ｄを挟持すると、単に側壁部２２２，６２３，６２２によって支持するのみの場合に比べて、一端部５０ａ，７０ａ，７０ｄをより安定して保持することができる。したがって、本構成の光源装置Ｘおよび液晶表示装置Ｙは、可撓性回路基板４０，４１の復元力に起因する膨らみをより確実に押さえるうえで好適である。
【００７５】
液晶表示装置Ｙにおいて導電性収容部材６０は、バックボードとしての第１筐体６１と、フェイスボードとしての第２筐体６２とを有した構成とされているが、図９に示すように、更にセンターボードとしての第３筐体６３を有する構成としてもよい。
【００７６】
上述の実施形態では、表示装置としてバックライト１０を備える液晶表示装置Ｙを例示したが、バックライト１０および液晶表示パネル８０に代えて自発光型表示パネルを採用した構成としてもよい。自発光型表示パネルとしては、例えば、ＰＤＰ（Plasma Display Panel）と、ＦＥＤ（Field Emission Display）と、ＯＥＬ（Organic Electro-Luminescence）と、ＩＯＥＬ（Inorganic Electro-Luminescence）とが挙げられる。
【図面の簡単な説明】
【００７７】
【図１】本発明の一実施形態に係る光源装置の概略構成を表す上面側から見た斜視図である。
【図２】図１に示す光源装置を下面側から見た斜視図である。
【図３】（ａ）は図２におけるＩＩＩａ−ＩＩＩａ線に沿った断面図であり、（ｂ）は図２におけるＩＩＩｂ−ＩＩＩｂ線に沿った断面図である。
【図４】本発明の一実施形態に係る液晶表示装置の概略構成を表す上面側から見た斜視図である。
【図５】図４に示す液晶表示装置を下面側から見た斜視図である。
【図６】（ａ）は図５におけるＶＩａ−ＶＩａ線に沿った断面図であり、（ｂ）は図５におけるＶＩｂ−ＶＩｂ線に沿った断面図である。
【図７】図４に示す液晶表示装置における液晶表示パネルの概略構成を表す斜視図である。
【図８】図７に示す液晶表示パネルの要部拡大断面図である。
【図９】図４に示す液晶表示装置の変形例の一つであり、図６（ｂ）に相当する断面図である。
【符号の説明】
【００７８】
Ｘ    光源装置
Ｙ    液晶表示装置（表示装置）
１０    バックライト
１１    光源
１２    導光体
１３    反射体
１４    拡散板
１５    プリズム
２０    導電性収容部材
２１    第１筐体
２１１    本体部
２１２〜２１５    側壁部
２１６    保持片（保持部）
２１７    係止片
２２    第２筐体
２２１    本体部
２２２〜２２５    側壁部（２２２は支持部に相当）
２２６    開口部
２２７    係止孔
３０    制御部材
４０，４１    可撓性回路基板
５０    絶縁シート
６０    導電性収容部材
６１    第１筐体
６２    第２筐体
６３    第３筐体
７０    絶縁シート
８０    液晶パネル
【図１】
2010056044.tif 000003
【図２】
2010056044.tif 000004
【図３】
2010056044.tif 000005
【図４】
2010056044.tif 000006
【図５】
2010056044.tif 000007
【図６】
2010056044.tif 000008
【図７】
2010056044.tif 000009
【図８】
2010056044.tif 000010
【図９】
2010056044.tif 000011